(57)【要約】【課題】撮像条件の設定根拠を示す撮像計画データの提示【解決手段】第１の医療検査に対して設定された撮像条件に基づいて第１の医療検査に後続する第２の医療検査を行なう医用画像診断装置１００は、第１の医療検査及び第２の医療検査における撮像によって被検体の画像データを収集する画像データ収集部２００と、前記画像データの収集における撮像条件を設定する撮像条件設定部１１と、前記撮像条件の設定根拠を導出する設定根拠導出部１３と、撮像条件の設定根拠が示された撮像計画を作成して保存する撮像計画作成部１４を備え、画像データ収集部２００は、第１の医療検査において撮像条件設定部１１が設定した前記撮像条件及び撮像計画作成部１４が作成した前記撮像計画に基づいて第２の医療検査における画像データを収集する。【選択図】  図１
2013215223.tif 000002
【特許請求の範囲】
【請求項１】
第１の医療検査に対して設定された撮像条件に基づいて前記第１の医療検査に後続する第２の医療検査を行なう医用画像診断装置において、
前記第１の医療検査及び前記第２の医療検査における撮像によって被検体の画像データを収集する画像データ収集手段と、
前記画像データの収集における撮像条件を設定する撮像条件設定手段と、
前記撮像条件の設定根拠を導出する設定根拠導出手段と、
前記設定根拠が示された撮像計画を作成して保存する撮像計画作成手段とを備え、
前記画像データ収集手段は、前記第１の医療検査において前記撮像条件設定手段が設定した前記撮像条件及び前記撮像計画作成手段が作成した前記撮像計画に基づいて前記第２の医療検査における画像データを収集することを特徴とする医用画像診断装置。
【請求項２】
前記設定根拠導出手段は、前記撮像条件設定手段によって設定された前記撮像条件と予め設定された標準撮像条件との差異に基づいて前記撮像条件の設定根拠を導出することを特徴とする請求項１記載の医用画像診断装置。
【請求項３】
前記第１の医療検査において前記撮像条件を設定する操作者の視線履歴を検出する視線履歴検出手段と前記視線履歴に基づいて撮像条件設定時における前記操作者の注目領域を検出する注目領域検出手段を備え、前記設定根拠導出手段は、前記注目領域に基づいて前記撮像条件の設定根拠を導出することを特徴とする請求項１記載の医用画像診断装置。
【請求項４】
操作手段と撮像条件設定用ＧＵＩ作成手段を備え、前記撮像条件設定手段は、前記撮像条件設定用ＧＵＩ作成手段が作成した撮像条件設定用ＧＵＩを用いて前記操作手段が指示した撮像位置の位置情報及び前記操作手段が入力した撮像パラメータの入力情報に基づいて前記第１の医療検査における撮像条件を設定あるいは更新することを特徴とする請求項１記載の医用画像診断装置。
【請求項５】
前記撮像条件設定用ＧＵＩ作成手段は、撮像位置の指定を目的として前記画像データ収集手段が収集した位置決め用画像データと前記撮像条件の値を入力あるいは選択することが可能な撮像パラメータ設定用アイコンを有する前記撮像条件設定用ＧＵＩを作成することを特徴とする請求項４記載の医用画像診断装置。
【請求項６】
前記撮像条件設定用ＧＵＩにおける操作者の視線履歴を検出する視線履歴検出手段と前記視線履歴に基づいて注目領域を検出する注目領域検出手段を備え、前記設定根拠導出手段は、前記注目領域に基づいて前記撮像条件の設定根拠を導出することを特徴とする請求項４記載の医用画像診断装置。
【請求項７】
前記操作手段の操作履歴、前記撮像条件設定用ＧＵＩのＧＵＩ構成データ、前記画像データ収集手段によって収集された前記位置決め用画像データに基づく病変領域データ及びセグメンテーションデータの少なくとも何れかに基づいてフィルタリングデータを生成するフィルタリングデータ生成手段を備え、前記注視領域検出手段は、前記視線履歴検出手段によって検出された複数からなる前記視線履歴を前記フィルタリングデータを用いて取捨選択することにより前記注目領域を検出することを特徴とする請求項６記載の医用画像診断装置。
【請求項８】
前記設定根拠導出手段は、前記第１の医療検査あるいは前記第２の医療検査に先立って検査依頼端末装置から供給される依頼情報に基づいて前記撮像条件の設定根拠あるいは更新根拠を導出することを特徴とする請求項１記載の医用画像診断装置。
【請求項９】
前記撮像計画作成手段は、前記第２の医療検査に先立ってデータサーバあるいは読影用端末装置から供給される前記第１の医療検査の画像データに対する検査レポートに基づいて前記第１の医療検査において作成した前記撮像計画を更新し、前記画像データ収集手段は、前記撮像計画作成手段によって更新された前記撮像計画に基づいて前記第２の医療検査における画像データを収集することを特徴とする請求項１記載の医用画像診断装置。
【請求項１０】
第１の医療検査において設定した撮像条件及び前記第１の医療検査において導出した前記撮像条件の設定根拠が示された撮像計画に基づいて第２の医療検査を行なう医用画像診断装置に対し、
前記第１の医療検査及び前記第２の医療検査における撮像によって被検体の画像データを収集する画像データ収集機能と、
前記画像データの収集における撮像条件を設定する撮像条件設定機能と、
前記撮像条件の設定根拠を導出する設定根拠導出機能と、
前記設定根拠が示された撮像計画を作成して保存する撮像計画作成機能を
実行させることを特徴とする制御プログラム。
【発明の詳細な説明】
【技術分野】
【０００１】
本発明の実施形態は、予め設定された撮像条件に基づいて画像データを生成する医用画像診断装置及び制御プログラムに関する。
【背景技術】
【０００２】
医用画像診断は、近年のコンピュータ技術の発展に伴って実用化されたＸ線ＣＴ装置やＭＲＩ装置等の医用画像診断装置によって急速な進歩を遂げ、今日の医療において必要不可欠なものとなっている。特に、Ｘ線ＣＴ装置やＭＲＩ装置では、生体情報の検出ユニットや演算処理ユニットの高速化及び高性能化により画像データのリアルタイム表示が可能となり、更に、３次元的な画像情報（ボリュームデータ）の収集やこのボリュームデータを用いた３次元画像データやＭＰＲ（Multi Planar Reconstruction）画像データ等の生成／表示が容易となった。
【０００３】
上述の医用画像診断装置を用い、例えば、被検体の検査対象部位に対する経過観察等を目的として複数回の医療検査を異なる日時で繰り返し行なう場合、画像データ間の比較を容易にするために、先行する医療検査において設定された撮像条件と略同様の撮像条件を用いて後続の医療検査を行なわなくてはならない。
【０００４】
このような医療検査を行なう際、医用画像診断装置を操作する医療従事者（以下では、操作者と呼ぶ。）は、当日の医療検査に先立って検査予約端末から供給される検査依頼情報や過去の医療検査において収集された画像データ及びこの画像データに基づいて作成された検査レポート等に基づいて予め保管された各種標準撮像条件の中から当該被検体の医療検査に対応した標準撮像条件を選択し、この標準撮像条件を別途生成された位置決め用画像データ（スカウト画像データ）等に基づいて更新することにより当該医療検査に好適な撮像条件を設定する方法が行なわれてきた。
【０００５】
しかしながら、ルーチン検査とは大きく異なる医療検査によって経過観察等を行なう場合、ルーチン検査用に予め設定された上述の標準撮像条件を更新して当該医療検査の撮像条件を得るためには多くの時間と操作者の労力が要求される。そして、このような問題点を解決するために、先行する医療検査において用いた撮像条件に基づいて後続する医療検査の撮像条件を設定する方法が提案されている。
【先行技術文献】
【特許文献】
【０００６】
【特許文献１】特開２００９−１８３６８９号公報
【発明の概要】
【発明が解決しようとする課題】
【０００７】
上述の方法によれば、経過観察等を目的とした複数回の医療検査を当該被検体に対して行なう場合、先行する医療検査の撮像条件に基づいて後続する医療検査の撮像条件が設定されるため、これらの医療検査がルーチン検査と異なる場合においても、好適な撮像条件を効率よく設定することができる。
【０００８】
しかしながら、従来から実際に行なわれてきた方法や既に提案されている方法によれば、撮像条件の設定根拠が明らかではなかったため、当日の医療検査を担当する操作者は、過去の医療検査において設定された撮像条件をそのまま用いるべきか、あるいは、更新して用いるべきかを判断することが困難であった。特に、当日の医療検査に先立って供給される検査依頼情報や検査レポート等の医療情報に基づいて上述の撮像条件を更新する必要が生じた場合、過去の医療検査における撮像条件の設定根拠が明らかになっていなかったため、不適当な更新が高頻度で行なわれるという問題点を有していた。
【０００９】
本開示は、上述の問題点に鑑みてなされたものであり、その目的は、過日行なわれた第１の医療検査における撮像条件に基づいて所定の検査対象部位に対し再度行なう第２の医療検査の撮像条件を設定する際、第１の医療検査の撮像条件と共に保存された撮像条件の設定根拠を参照することにより第２の医療検査に好適な撮像条件を短時間かつ正確に設定することが可能な医用画像診断装置及び制御プログラムを提供することにある。
【課題を解決するための手段】
【００１０】
上記課題を解決するために、本開示の医用画像診断装置は、第１の医療検査に対して設定された撮像条件に基づいて前記第１の医療検査に後続する第２の医療検査を行なう医用画像診断装置であって、前記第１の医療検査及び前記第２の医療検査における撮像によって被検体の画像データを収集する画像データ収集手段と、前記画像データの収集における撮像条件を設定する撮像条件設定手段と、前記撮像条件の設定根拠を導出する設定根拠導出手段と、前記設定根拠が示された撮像計画を作成して保存する撮像計画作成手段とを備え、前記画像データ収集手段は、前記第１の医療検査において前記撮像条件設定手段が設定した前記撮像条件及び前記撮像計画作成手段が作成した前記撮像計画に基づいて前記第２の医療検査における画像データを収集することを特徴としている。
【図面の簡単な説明】
【００１１】
【図１】本実施形態における医用画像診断装置の全体構成を示すブロック。
【図２】本実施形態の医用画像診断装置が備える画像データ収集部の具体的な構成を示すブロック図。
【図３】本実施形態の撮像条件設定用ＧＵＩ作成部によって作成された撮像条件設定用ＧＵＩの具体例を示す図。
【図４】本実施形態の医用画像診断装置が備えるフィルタリングデータ生成部の具体的な構成を示すブロック図。
【図５】本実施形態のフィルタリングデータ生成部が備えるＧＵＩ構成データ作成部によって作成されたＧＵＩ構成データの具体例を示す図。
【図６】本実施形態の第１の医療検査において撮像計画作成部が作成した第１の撮像計画の具体例を示す図。
【図７】本実施形態の第２の医療検査において撮像計画作成部が第１の撮像計画を更新することによって新たに作成した第２の撮像計画の具体例を示す図。
【図８】本実施形態の第１の医療検査における第１の撮像計画の作成／保存手順を示すフローチャート。
【図９】本実施形態の第２の医療検査における第２の撮像計画の作成／保存手順を示すフローチャート。
【発明を実施するための形態】
【００１２】
以下、図面を参照して本開示の実施形態を説明する。
【００１３】
（実施形態）
本開示の実施形態における医用画像診断装置では、所定の検査対象部位に対する経過観察等を目的として複数回のＭＲＩ撮像が異なる日時において繰り返し行なわれる際、先ず、撮像条件設定用ＧＵＩを用いて設定された第１のＭＲＩ撮像に好適な撮像条件に基づいて診断用画像データ（第１の診断用画像データ）を生成すると共に、この撮像条件と予め設定された標準撮像条件との比較結果や撮像条件を設定する操作者の視線履歴等を用いて導出した撮像条件の設定根拠が示された第１の撮像計画を作成する。次いで、第１のＭＲＩ撮像に後続して後日行なわれる第２のＭＲＩ撮像の検査依頼情報、第１の診断用画像データに基づいて作成された検査レポート及び撮像条件の設定根拠が示された第１の撮像計画に基づいて上述の撮像条件を更新し、更新された撮像条件を用いて診断用画像データ（第２の診断用画像データ）を生成すると共に撮像条件の更新根拠が示された第２の撮像計画を作成する。
【００１４】
尚、以下に述べる実施形態では、過日行なわれた第１の医療検査における撮像条件に基づいて後日行なわれる第２の医療検査の撮像条件を設定する際、第２の医療検査としての第２のＭＲＩ撮像の撮像条件を、第１の医療検査としての第１のＭＲＩ撮像において設定された撮像条件やその設定根拠が示された撮像計画に基づいて設定する場合について述べるが、第１の医療検査及び第２の医療検査は、ＭＲＩ撮像に限定されるものではなく、例えば、Ｘ線ＣＴ撮影や通常のＸ線撮影であっても構わない。
【００１５】
（装置の構成及び機能）
以下、本実施形態における医用画像診断装置の構成と機能につき図１乃至図７を用いて説明する。尚、図１は、医用画像診断装置の全体構成を示すブロック図であり、図２及び図４は、この医用画像診断装置が備える画像データ収集部及びフィルタリングデータ生成部の具体的な構成を示すブロック図である。
【００１６】
図１に示す本実施形態の医用画像診断装置１００は、被検体に対するＭＲＩ撮像により撮像条件の一部である撮像断面や撮像領域（以下では、これらを纏めて撮像位置と呼ぶ。）の設定を目的とした位置決め用画像データ及び診断を目的とした診断用画像データを収集する画像データ収集部２００と、上述の位置決め用画像データ等に基づいて撮像条件の設定に用いるユーザインターフェース（ＧＵＩ：Graphical User Interface）を作成する撮像条件設定用ＧＵＩ作成部２と、位置決め用画像データ及び撮像条件の値（以下では、撮像パラメータと呼ぶ。）を設定する際に用いる各種の撮像パラメータ設定用アイコンが示された上述の撮像条件設定用ＧＵＩや画像データ収集部２００において生成された診断用画像データを表示する画像／ＧＵＩ表示部３と、画像／ＧＵＩ表示部３に表示された撮像条件設定用ＧＵＩに対する操作者（即ち、医用画像診断装置１００を操作する医療従事者）の視線履歴を検出する視線履歴検出部４と、撮像条件設定用ＧＵＩや後述の操作部１６から主制御部１７を介して供給される操作履歴情報に基づいて視線履歴のフィルタリング処理に用いる各種のフィルタリングデータを生成するフィルタリングデータ生成部５と、視線履歴検出部４において検出された複数個の視線履歴を上述のフィルタリングデータを用いて取捨選択（フィルタリング処理）することにより当該ＭＲＩ撮像における撮像条件の設定に直接関与した視線履歴の位置情報を注視領域として検出する注視領域検出部６を備えている。
【００１７】
又、医用画像診断装置１００は、ネットワーク６００を介して検査予約端末装置３００、データサーバ４００及び読影用端末装置５００と接続され、これらのユニットに対し診断用画像データの送信や検査依頼情報、検査レポート及び標準撮像条件の受信を行なう送受信Ｉ／Ｆ７と、検査予約端末装置３００から送受信Ｉ／Ｆ７を介して供給された検査依頼情報を取得する依頼情報取得部８と、読影用端末装置５００あるいはデータサーバ４００から送受信Ｉ／Ｆ７を介して供給された当該被検体の検査レポートを取得する検査レポート取得部９と、データサーバ４００から送受信Ｉ／Ｆ７を介して供給された標準撮像条件を取得する標準撮像条件取得部１０と、操作部１６において入力された撮像パラメータの入力情報に基づいて当該ＭＲＩ撮像に好適な撮像条件を設定する撮像条件設定部１１と、撮像条件設定部１１において設定された上述の撮像条件と標準撮像条件取得部１０から供給された標準撮像条件を比較することによりその差異を検出する撮像条件比較部１２を備えている。
【００１８】
更に、医用画像診断装置１００は、注視領域検出部６から供給される注視領域の位置情報、依頼情報取得部８から供給される検査依頼情報及び撮像条件比較部１２から供給される撮像条件の比較結果に基づいて撮像条件設定部１１において設定された撮像条件の設定根拠を導出する設定根拠導出部１３と、得られた設定根拠や上述した撮像条件の比較結果及び検査依頼情報、更には、検査レポート取得部９から供給される検査レポートの読影結果や検査結果等に基づいて当該ＭＲＩ撮像における撮像計画の作成や更新を行なう撮像計画作成部１４と、得られた撮像計画を表示する撮像計画表示部１５と、画像／ＧＵＩ表示部３に表示された撮像条件設定用ＧＵＩの位置決め用画像データ及び撮像パラメータ用アイコンに基づいた撮像位置（撮像断面及び撮像領域）の指定や撮像パラメータの入力、各種指示信号の入力等を行なう操作部１６と、上述の各ユニットを統括的に制御する主制御部１７を備えている。
【００１９】
次に、当該被検体に対するＭＲＩ撮像によって所定の撮像位置における画像データ（位置決め用画像データ及び診断用画像データ）を収集する画像データ収集部２００の具体的な構成と機能につき図２を用いて説明する。
【００２０】
図２に示す画像データ収集部２００は、被検体１５０の撮像領域に対して静磁場及び傾斜磁場を発生する静磁場発生部２１０及び傾斜磁場発生部２２０と、前記撮像領域に対してＲＦパルスを照射しこの撮像領域において発生したＭＲ信号を検出する送受信部２３０と、被検体１５０を載置する天板２６１と、天板２６１を被検体１５０の体軸方向（図２のｚ軸方向）へ平行移動させる天板移動機構部２６２と、ＭＲＩ撮像のパルスシーケンスや天板２６１の移動を制御する副制御部２４０と、送受信部２３０の受信部２３３によって検出されたＭＲ信号を処理して位置決め用画像データ及び診断用画像データを生成する画像データ生成部２５０を備えている。
【００２１】
静磁場発生部２１０は、常伝導磁石あるいは超電導磁石によって構成される主磁石２１１と、この主磁石２１１に電流を供給する静磁場電源２１２を備え、図示しないガントリ中央部の撮像野に配置された被検体１５０の撮像領域に対し強力な静磁場を形成する。尚、主磁石２１１は、永久磁石によって構成されていてもよい。
【００２２】
一方、傾斜磁場発生部２２０は、被検体１５０の体軸方向（ｚ軸方向）とこの体軸方向に直交するｘ軸方向及びｙ軸方向に対して傾斜磁場を形成する傾斜磁場コイル２２１と、傾斜磁場コイル２２１の各々に対してパルス電流を供給する傾斜磁場電源２２２を備えている。
【００２３】
傾斜磁場コイル２２１及び傾斜磁場電源２２２は、被検体１５０の撮像領域が置かれたガントリ中央部の撮像野に対して位置情報を付加する。即ち、傾斜磁場電源２２２は、副制御部２４０から供給されるシーケンス制御信号に基づいてｘ軸方向，ｙ軸方向及びｚ軸方向の傾斜磁場コイル２２１に供給するパルス電流を制御することにより各々の方向に対して傾斜磁場を形成する。そして、ｘ軸方向，ｙ軸方向及びｚ軸方向の傾斜磁場は合成されて互いに直交するスライス選択傾斜磁場、位相エンコード傾斜磁場及び周波数エンコード（読み出し）傾斜磁場が任意の方向に形成され、これらの傾斜磁場は、主磁石２１１によって形成された静磁場に重畳されて被検体１５０の撮像領域に印加される。
【００２４】
次に、送受信部２３０は、被検体１５０の撮像領域に対してＲＦパルスを照射すると共にこの撮像領域において発生したＭＲ信号を検出する送受信コイル２３１と、送受信コイル２３１に接続された送信部２３２及び受信部２３３を備えている。但し、送受信コイル２３１は、送信専用コイルと受信専用コイルによって構成されていても構わない。
【００２５】
送信部２３２は、送受信コイル２３１に対してパルス電流を供給する機能を有し、図示しない基準信号発生器、変調器及び電力増幅器等を有している。前記基準信号発生器は、主磁石２１１の静磁場強度によって決定される磁気共鳴周波数（ラーモア周波数）と同じ周波数を有した基準信号を発生し、前記変調器は、この基準信号を所定の選択励起波形で変調してパルス電流を生成する。そして、得られたパルス電流は、前記電力増幅器を介して送受信コイル２３１へ供給され、被検体１５０の撮像領域に対しＲＦパルスが照射される。
【００２６】
一方、受信部２３３は、ＲＦパルスが照射された撮像領域にて発生し送受信コイル２３１によって検出されるＭＲ信号に対し中間周波変換、位相検波、低周波増幅、フィルタリング、Ａ／Ｄ変換等の信号処理を行なってＭＲデータを生成する。
【００２７】
次に、副制御部２４０は、シーケンス制御部２４１及び天板移動制御部２４２を備えている。シーケンス制御部２４１は、図示しないＣＰＵと記憶回路を備え、図１の撮像条件設定部１１から主制御部１７を介して供給される各種の撮像条件を前記記憶回路に一旦保存し、これらの撮像条件に基づいて当該ＭＲＩ撮像のシーケンス制御信号を生成し傾斜磁場発生部２２０の傾斜磁場電源２２２及び送受信部２３０の送信部２３２を制御する。例えば、形態画像データの収集に際してはＴ１強調法やＴ２強調法等に対応したシーケンス制御信号が、又、機能画像データの収集に際してはＥＰＩ(Echo Planar Imaging)法等に対応したシーケンス制御信号がシーケンス制御部２４１において生成される。
【００２８】
一方、天板移動制御部２４２は、図１の操作部１６から主制御部１７を介して供給される天板移動指示信号に基づいて天板移動制御信号を生成し天板移動機構部２６２へ供給する。
【００２９】
次に、画像データ生成部２５０は、図示しないＭＲデータ記憶部と高速演算処理部を備えている。ＭＲデータ記憶部には、副制御部２４０のシーケンス制御部２４１によって生成されたシーケンス制御信号に基づいて被検体１５０の撮像領域に対するスライス選択傾斜磁場及び位相エンコード傾斜磁場を順次更新することにより時系列的に収集されるｋ空間（周波数空間）のＭＲデータが順次保存される。
【００３０】
そして、高速演算処理部は、ＭＲデータ記憶部に一旦保存されたｋ空間におけるＭＲデータを読み出し、これらのＭＲデータに対し、例えば、２次元フーリエ変換を用いた再構成処理を行なって実空間の位置決め用画像データ及び診断用画像データを生成する。
【００３１】
図１へ戻って、医用画像診断装置１００の撮像条件設定用ＧＵＩ作成部２は、位置決め用画像データや撮像パラメータ設定用アイコン等を有し各種撮像条件の設定に有効なユーザインターフェースを作成する。図３は、撮像条件設定用ＧＵＩ作成部２によって作成された撮像条件設定用ＧＵＩの具体例を示したものであり、この撮像条件設定用ＧＵＩの上段左領域及び上段中央領域は、撮像位置（撮像領域及び撮像断面）の設定を目的として画像データ収集部２００において生成された位置決め用画像データとこの位置決め用画像データに基づいて操作部１６が設定あるいは更新した撮像位置の情報が示される撮像位置設定領域Ｒａ及びＲｂであり、上段右領域は、例えば、依頼情報取得部８から供給された検査依頼情報や検査レポート取得部９から供給された検査レポートの内容が示される検査情報表示領域Ｒｃである。
【００３２】
一方、撮像条件設定用ＧＵＩの下段左領域は、被検体単位で予め収集された検査プロセスや撮像条件を有する検査プロトコルが一覧表示された検査プロトコル表示領域Ｒｄであり、操作者は、操作部１６に設けられた後述の操作デバイスを用いて検査プロトコル一覧データに示された各種検査プロトコルの中から当該被検体の検査プロトコルを選択する。
【００３３】
又、撮像条件設定用ＧＵＩの下段右領域は、ＭＲＩ撮像における撮像パラメータを設定あるいは更新する撮像パラメータ設定用アイコンが２次元配列された撮像パラメータ設定領域Ｒｅであり、操作者は、撮像パラメータ設定用アイコンの右端部に設けられた増減ボタンを操作部１６の操作デバイスを用いて操作することにより撮像パラメータの設定や更新を行なう。
【００３４】
即ち、撮像条件設定用ＧＵＩ作成部２は、図示しない自己の記憶部から読み出したＧＵＩ作成用プログラム、画像データ収集部２００から供給される位置決め用画像データ、操作部１６から主制御部１７を介して供給される撮像位置の位置情報及び撮像パラメータの入力情報、依頼情報取得部８から供給される検査依頼情報、検査レポート取得部９から供給される検査レポート及びデータサーバ４００あるいは図示しない検査プロトコル保管部から読み出された検査プロトコル等に基づいて図３に示すような撮像条件設定用ＧＵＩを生成する。
【００３５】
再び図１へ戻って、画像／ＧＵＩ表示部３は、撮像位置の位置情報が付加された位置決め用画像データ、検査プロトコル一覧データ、撮像パラメータ設定用アイコン等によって構成された撮像条件設定用ＧＵＩや画像データ収集部２００から直接供給される診断用画像データを表示する機能を有し、例えば、上述の撮像条件設定用ＧＵＩ及び診断用画像データに対しＤ／Ａ変換やテレビフォーマット変換等の変換処理を行なう変換処理部と、変換処理された撮像条件設定用ＧＵＩや診断用画像データを表示するモニタ（何れも図示せず）を備えている。
【００３６】
次に、視線履歴検出部４は、画像／ＧＵＩ表示部３のモニタに表示された撮像条件設定用ＧＵＩに対する操作者の視線履歴（視線方向の時間的推移）を検出する機能を有している。視線履歴検出法は、赤外線照射の反射を利用する方法と画像情報を用いる方法に大きく分類され、各々の方法に対して具体的な提案が既になされている。例えば、前者の方法として、メガネに装着された発光ダイオードから操作者の眼球に対して赤外線を照射し、その反射特性により眼球の回転角度を検出する方法が一般に知られている。この方法を適用することにより、画像／ＧＵＩ表示部３のモニタに表示された撮像条件設定用ＧＵＩに対する操作者の視線方向を推定することが可能となる。尚、操作者の視線履歴を検出することにより注視領域を決定する具体的な方法は、特開平１１−１７５２４６号公報等に記載されているため詳細な説明は省略する。
【００３７】
フィルタリングデータ生成部５は、上述の視線履歴検出部４により撮像条件設定用ＧＵＩの領域Ｒａ乃至Ｒｅにおいて検出された複数の視線履歴の中から、撮像位置や撮像パラメータの設定あるいは更新に直接関与した視線履歴を抽出する際に用いるフィルタリングデータを収集あるいは生成する機能を有し、図４に示すように操作履歴取得部５１、ＧＵＩ構成データ作成部５２、病変領域検出部５３及びセグメンテーション部５４を備えている。
【００３８】
操作履歴取得部５１は、撮像位置を含む撮像条件の設定あるいは更新において操作部１６が行なう各種操作の履歴を主制御部１７を介して受信し、得られた操作履歴を図示しない自己の操作履歴記憶部に保存する。
【００３９】
ＧＵＩ構成データ作成部５２は、撮像条件設定用ＧＵＩ作成部２から供給される撮像条件設定用ＧＵＩ（図３参照）の撮像位置設定領域Ｒａ及びＲｂ、検査情報表示領域Ｒｃ、検査プロトコル表示領域Ｒｄ及び撮像パラメータ設定領域Ｒｅを領域分析することにより、撮像条件（撮像位置及び撮像パラメータ）の設定あるいは更新に直接関与する領域が示されたＧＵＩ構成データを作成する。
【００４０】
図５は、ＧＵＩ構成データ作成部５２によって作成されたＧＵＩ構成データの具体例を示したものであり、撮像条件設定用ＧＵＩの撮像位置設定領域Ｒａ及びＲｂと撮像パラメータ設定領域Ｒｅに対応した領域が、撮像条件の設定に関与する領域として抽出される。
【００４１】
病変領域検出部５３は、撮像条件設定用ＧＵＩの撮像位置設定領域Ｒａ及びＲｂに示された位置決め用画像データの画素値に所定の閾値を設定することにより正常な組織に隣接して存在する病変領域を抽出する。この場合、例えば、Ｔ１強調のＭＲＩ撮像によって収集された画像データにおける腫瘍等の病変領域は正常領域より低信号となり、Ｔ２強調のＭＲＩ撮像によって収集された画像データにおける病変領域は高信号となるため、病変領域の検出に好適な上述の閾値は、撮像条件に含まれる撮像方法等に基づいて予め設定される。
【００４２】
セグメンテーション部５４は、生体の標準モデルが予め保管された図示しない標準モデル保管部を有し、撮像条件設定用ＧＵＩの撮像位置設定領域Ｒａ及びＲｂに示された位置決め用画像データを標準モデル保管部から読み出した標準モデルに基づいて領域区分け（セグメンテーション）することにより臓器境界を検出する。ＭＲＩ撮像によって収集された画像データと標準モデルを用いた領域区分けの具体的な方法については、特表２０１１−５１４１９０号公報等に記載されているため詳細な説明は省略する。
【００４３】
尚、上述した病変領域の検出や領域区分けは、画像／ＧＵＩ表示部３に表示された撮像条件設定用ＧＵＩの位置決め用画像データに対し操作者が操作部１６の入力デバイスを用いて設定しても構わない。
【００４４】
次に、図１の注視領域検出部６は、フィルタリングデータ生成部５から供給される操作履歴データ、ＧＵＩ構成データ、病変領域データ及びセグメンテーションデータと予め設定された検出基準に基づき、撮像条件設定用ＧＵＩの撮像位置設定領域Ｒａ及びＲｂ、検査情報表示領域Ｒｃ，検査プロトコル表示領域Ｒｄ及び撮像パラメータ設定領域Ｒｅにおいて視線履歴検出部４が検出した複数からなる視線履歴の中から、撮像条件の設定に直接関与した視線履歴を注視領域として検出する。
【００４５】
例えば、上述の検出基準に基づき、検出頻度が所定の頻度より大きな視線履歴や滞留時間が所定の時間より長い視線履歴、更には、操作履歴データ、ＧＵＩ構成データ、病変領域データ及びセグメンテーションデータとの比較により、撮像条件の設定操作に対応した視線履歴、撮像位置設定領域Ｒａ及びＲｂあるいは撮像パラメータ設定領域Ｒｅにおいて検出された視線履歴、病変部や所定臓器の領域内あるいはその近傍において検出された視線履歴に基づいて注視領域を検出する。
【００４６】
尚、上述の条件を全て満足する視線履歴を注視領域として検出することが望ましいが、これらの条件の一部を満足する視線履歴を注視領域として検出してもよい。
【００４７】
送受信Ｉ／Ｆ７は、当該ＭＲＩ撮像が行なわれる医療施設と同一の医療施設あるいは異なる医療施設に設置された検査予約端末装置３００、データサーバ４００及び読影用端末装置５００と医用画像診断装置１００とを、ネットワーク６００を介して接続するためのネットワークインターフェースであり、画像データ収集部２００において生成された診断用画像データをデータサーバ４００あるいは読影用端末装置５００へ送信する。
【００４８】
又、検査予約端末装置３００から供給された検査依頼情報、データサーバ４００から供給された検査プロトコル情報、被検体情報及び標準撮像条件、読影用端末装置５００あるいはデータサーバ４００から供給された上述の診断用画像データに対する読影結果や診断結果を有する検査レポートを受信する。
【００４９】
依頼情報取得部８は、検査予約端末装置３００から送受信Ｉ／Ｆ７を介して供給される検査依頼情報を取得し、得られた検査依頼情報を図示しない自己の依頼情報記憶部に保存する。
【００５０】
同様にして、検査レポート取得部９は、読影用端末装置５００あるいはデータサーバ４００から送受信Ｉ／Ｆ７を介して供給される検査レポートを取得し、得られた検査レポートを図示しない自己の検査レポート記憶部に保存する。
【００５１】
更に、標準撮像条件取得部１０は、データサーバ４００から送受信Ｉ／Ｆ７を介して供給される標準撮像条件を取得し、得られた標準撮像条件を図示しない自己の標準撮像条件記憶部に保存する。但し、標準撮像条件取得部１０の替わりに、上述の標準撮像条件が予め保管された標準撮像条件保管部を画像診断装置１００の内部に備えていても構わない。
【００５２】
又、依頼情報取得部８によって取得された検査依頼情報や検査レポート取得部９によって取得された検査レポートの内容は画像／ＧＵＩ表示部３に表示することが可能であり、例えば、これらの内容は、撮像条件設定用ＧＵＩ作成部２が作成する撮像条件設定用ＧＵＩの検査情報表示領域Ｒｃに表示される。
【００５３】
撮像条件設定部１１は、操作部１６の操作デバイスを用い、画像／ＧＵＩ表示部３の撮像条件設定用ＧＵＩに示された位置決め用画像データ上の撮像位置情報や検査依頼情報及び検査レポートの内容に基づいて撮像パラメータ設定領域Ｒｅの撮像パラメータ設定用アイコンを操作する際、操作部１６から供給される撮像パラメータの入力情報に基づいて当該ＭＲＩ撮像の撮像条件を設定する。
【００５４】
次に、撮像条件比較部１２は、図示しないデータ比較部を備え、標準撮像条件取得部１０から供給された標準撮像条件と撮像条件設定部１１によって設定された上述の撮像条件を比較することによりその差異を検出する。
【００５５】
設定根拠導出部１３は、注視領域検出部６から供給された注視領域の位置情報、依頼情報取得部８から供給された検査依頼情報及び撮像条件比較部１２から供給された撮像条件の比較結果に基づいて撮像条件設定部１１において設定された撮像条件の設定根拠を導出し、更に、検査予約端末装置３００から供給された検査依頼情報やデータサーバ４００あるいは読影用端末装置５００からネットワーク６００を介して供給された検査レポートに基づいて撮像条件の更新根拠を導出する。
【００５６】
一方、撮像計画作成部１４は、図示しない撮像計画記憶部を備え、設定根拠導出部１３から供給された撮像条件の設定根拠、撮像条件比較部１２から設定根拠導出部１３を介して供給された撮像条件の比較結果及び注視領域検出部６から設定根拠導出部１３を介して供給された注視領域の位置情報等に基づいて当該被検体の第１のＭＲＩ撮像における第１の撮像計画を作成し、得られた第１の撮像計画を自己の撮像計画記憶部に保存する。更に、依頼情報取得部８から供給された検査依頼情報や検査レポート取得部９から供給された検査レポートの読影結果及び診断結果に基づいて上述の第１の撮像計画を更新することによって第２のＭＲＩ撮像における第２の撮像計画を作成し、得られた第２の撮像計画を上述の撮像計画記憶部に保存する。
【００５７】
図６は、撮像計画作成部１４が、撮像条件の設定根拠、撮像条件の比較結果及び注視領域の情報に基づいて作成した第１の撮像計画の具体例を示したものであり、図７は、この撮像計画作成部１４が、検査依頼情報及び検査レポートに基づいて上述の第１の撮像計画を更新することにより新たに作成した第２の撮像計画の具体例を示したものである。
【００５８】
即ち、図６に示す第１の撮像計画の左領域には、例えば、第１のＭＲＩ撮像において設定された撮像領域（ＦＯＶ）の位置情報、フィルタリングデータ５の病変領域検出部５３から供給された病変領域の位置情報及び注視領域検出部６から供給された注視領域の位置情報が重畳された位置決め用画像データが示される。又、第１の撮像計画の右領域には、設定根拠導出部１３から供給された撮像条件の設定根拠、撮像条件比較部１２から供給された標準撮像条件と当該ＭＲＩ撮像の撮像条件との差異、注視領域検出部６において検出された注視領域に対応する撮像条件設定用ＧＵＩの撮像パラメータが示される。
【００５９】
一方、図７に示す第２の撮像計画の左領域には、上述した撮像領域の位置情報、病変領域の位置情報及び注視領域の位置情報の他に検査レポートに基づいた病変部の予想移動位置情報が新たに付加された位置決め用画像データが示される。又、第２の撮像計画の右領域には、第１のＭＲＩ撮像に後続して後日行なわれる第２のＭＲＩ撮像において、撮像条件設定部１１が依頼情報取得部８から供給された検査依頼情報や検査レポート取得部９から供給された検査レポートに基づいて更新した撮像条件の更新根拠及び撮像条件の更新に関与した検査依頼や検査レポートの情報が示され、更に、第１の撮像計画と同様の第１のＭＲＩ撮像における撮像条件の設定根拠、撮像条件と標準撮像条件との差異、注視領域に対応する撮像条件設定用ＧＵＩの撮像パラメータが示される。
【００６０】
次に、図１に示した撮像計画表示部１５は、上述の撮像計画作成部１４が、第１のＭＲＩ撮像において作成した第１の撮像計画及び第２のＭＲＩ撮像において作成した第２の撮像計画を表示する機能を有し、上述の撮像計画に対しＤ／Ａ変換やテレビフォーマット変換等の変換処理を行なう変換処理部と、変換処理された撮像計画を表示するモニタ（何れも図示せず）を備えている。
【００６１】
操作部１６は、図示しないキーボード、スイッチ、選択ボタン、マウス等の操作デバイスや表示パネルを備え、この操作部１６と画像／ＧＵＩ表示部３及び撮像計画表示部１５を組み合わせて用いることによりインターラクティブなインターフェースを形成している。
【００６２】
即ち、操作部１６の操作デバイスを用いて画像／ＧＵＩ表示部３に表示された撮像条件設定用ＧＵＩの位置決め用画像データ及び撮像パラメータ設定用アイコンを操作することにより当該ＭＲＩ撮像における撮像位置の設定や各種撮像パラメータの設定が行なわれ、更に、撮像計画表示部１５に表示された第１の撮像計画あるいは第２の撮像計画の修正が必要に応じて行なわれる。又、被検体情報の入力や位置決め用画像データ及び診断用画像データの収集開始指示信号を始めとする各種指示信号の入力等も上述の操作デバイスや表示パネルを用いて行なわれる。
【００６３】
主制御部１７は、図示しないＣＰＵと入力情報記憶部を備え、入力情報記憶部には、操作部１６において入力された各種の入力情報が保存される。そして、ＣＰＵは、上述の入力情報記憶部から読み出した入力情報や撮像条件設定部１１によって設定された撮像条件等に基づいて医用画像診断装置１００の各ユニットを統括的に制御することにより当該被検体に対するＭＲＩ撮像を実行させ、所望の診断用画像データを継続的に収集する。
【００６４】
（第１の撮像計画の作成／保存手順）
次に、本実施形態における第１の撮像計画の作成／保存手順につき図８のフローチャートに沿って説明する。
【００６５】
ネットワーク６００を介して接続された検査予約端末装置３００から当該被検体の検査依頼情報が供給されたならば、医用画像診断装置１００の依頼情報取得部８は、送受信Ｉ／Ｆ７を介して受信した上述の検査依頼情報を自己の依頼情報記憶部に保存すると共に、ネットワーク６００を介して接続されたデータサーバ４００に対して標準撮像条件の送付を要求する（図８のステップＳ１）。そして、データサーバ４００から送受信Ｉ／Ｆ７を介して供給された標準撮像条件は、標準撮像条件取得部１０の標準撮像条件記憶部に保存される（図８のステップＳ２）。
【００６６】
次に、主制御部１７は、上述の標準撮像条件記憶部から読み出した標準撮像条件に基づいて画像データ収集部２００が備える各ユニットを制御することにより所定の位置決め用画像データを収集する（図８のステップＳ３）。次いで、撮像条件設定用ＧＵＩ作成部２は、画像データ収集部２００から供給された位置決め用画像データや上述の標準撮像条件と共にデータサーバ４００から供給された各種の検査プロトコル等に基づいて所定フォーマットの撮像条件設定用ＧＵＩを作成し、得られた撮像条件設定用ＧＵＩを画像／ＧＵＩ表示部３のモニタに表示する（図８のステップＳ４）。
【００６７】
一方、画像／ＧＵＩ表示部３に表示された撮像条件設定用ＧＵＩを観察した医用画像診断装置１００の操作者は、この撮像条件設定用ＧＵＩの検査プロトコル表示領域に一覧表示された各種検査プロトコルの中から当該被検体のＭＲＩ撮像に対応する検査プロトコルを選択した後、撮像条件設定用ＧＵＩの撮像位置設定領域に示された位置決め用画像データを用いて撮像位置（撮像領域及び撮像断面）を指定し、更に、撮像条件設定用ＧＵＩの撮像パラメータ設定領域に示された撮像パラメータ設定用アイコンを操作することにより撮像パラメータを入力する。そして、撮像条件設定部１１は、上述した撮像位置の指定や撮像パラメータの入力に用いられた操作部１６の操作デバイスから供給される指定情報や入力情報に基づいて第１のＭＲＩ撮像における撮像条件を設定する（図８のステップＳ５）。
【００６８】
このとき、撮像位置の指定や撮像パラメータの入力に用いられた操作デバイスの操作履歴は、フィルタリングデータ生成部５の操作履歴取得部５１に設けられた操作履歴記憶部に保存される（図８のステップＳ６）。一方、視線履歴検出部４は、上述の撮像位置や撮像パラメータの設定において、画像／ＧＵＩ表示部３に表示された撮像条件設定用ＧＵＩに対する操作者の視線履歴を検出し（図８のステップＳ７）、得られた視線履歴を自己の視線履歴記憶部に保存する。そして、撮像条件設定用ＧＵＩの位置決め用画像データや撮像パラメータ設定用アイコンを用いて各種の撮像条件が設定される度に、操作履歴取得部５１による操作履歴の取得／保存と視線履歴検出部４による視線履歴の検出／保存が繰り返し行なわれる（図８のステップＳ５乃至ステップＳ７）。
【００６９】
上述の手順によって画像データの収集に必要な撮像条件の設定と操作履歴の取得／保存及び視線履歴の検出／保存が終了したならば、主制御部１７は、撮像条件設定部１１から供給された第１のＭＲＩ撮像の撮像条件に基づいて画像データ収集部２００の各ユニットを制御することにより診断用画像データを生成する。そして、得られた診断用画像データは、必要に応じて画像／ＧＵＩ表示部３のモニタに表示され、更に、送受信ＩＦ７及びネットワーク６００を介してデータサーバ４００あるいは読影用端末装置５００へ供給される（図８のステップＳ８）。
【００７０】
一方、フィルタリングデータ生成部５のＧＵＩ構成データ作成部５２は、撮像条件設定用ＧＵＩ作成部２から供給された撮像条件設定用ＧＵＩの撮像位置設定領域、検査情報表示領域、検査プロトコル表示領域及び撮像パラメータ設定領域を領域分析することにより、撮像条件の設定に直接関与した領域を示すＧＵＩ構成データを作成する。
【００７１】
又、フィルタリングデータ生成部５の病変領域検出部５３は、撮像条件設定用ＧＵＩの撮像位置設定領域に示された位置決め用画像データの画素値を２値化処理あるいは閾値処理することにより正常な組織に隣接して存在する病変領域を抽出し、セグメンテーション部５４は、上述の位置決め用画像データを自己の標準モデル保管部から読み出した標準モデルに基づいて領域区分け（セグメンテーション）することにより臓器境界等を検出する（図８のステップＳ９）。
【００７２】
次いで、注視領域検出部６は、フィルタリングデータ生成部５から供給された操作履歴データ、ＧＵＩ構成データ、病変領域データ及びセグメンテーションデータと予め設定された抽出基準とに基づき、撮像条件設定用ＧＵＩの撮像位置設定領域、検査情報表示領域，検査プロトコル表示領域及び撮像パラメータ設定領域において視線履歴検出部４が検出した複数からなる視線履歴の中から、撮像条件の設定に大きく関与した視線履歴を注視領域として検出する（図８のステップＳ１０）。
【００７３】
一方、撮像条件比較部１２は、標準撮像条件取得部１０から供給された標準撮像条件と撮像条件設定部１１によって設定された上述の撮像条件を比較することによりこの撮像条件と標準撮像条件との差異を検出する（図８のステップＳ１１）。
【００７４】
そして、設定根拠導出部１３は、注視領域検出部６から供給される注視領域の位置情報、依頼情報取得部８から供給される検査依頼情報及び撮像条件比較部１２から供給される撮像条件の比較結果に基づいて撮像条件設定部１１において設定された撮像条件の設定根拠を導出する（図８のステップＳ１２）。
【００７５】
次いで、撮像計画作成部１４は、設定根拠導出部１３から供給された撮像条件の設定根拠、撮像条件比較部１２から設定根拠導出部１３を介して供給された撮像条件の比較結果及び注視領域検出部６から設定根拠導出部１３を介して供給された注視領域の位置情報等に基づいて第１のＭＲＩ撮像における第１の撮像計画を作成し、得られた第１の撮像計画を自己の撮像計画記憶部に保存する（図８のステップＳ１３）。
【００７６】
（第２の撮像計画の作成／保存手順）
次に、本実施形態における第２の撮像計画の作成／保存手順につき図９のフローチャートに沿って説明する。
【００７７】
上述した第１のＭＲＩ撮像に後続する第２のＭＲＩ撮像が当該被検体の同一検査対象部位に対して後日行なわれる場合、依頼情報取得部８は、検査予約端末装置３００からネットワーク６００及び送受信Ｉ／Ｆ７を介して供給された検査依頼情報を受信して自己の依頼情報記憶部に保存し（図９のステップＳ２１）、ネットワーク６００を介して接続されたデータサーバ４００あるいは読影用端末装置５００に対して当該被検体の検査レポート（即ち、第１のＭＲＩ撮像において収集された診断用画像データに基づいて作成された検査レポート）を要求する。そして、この要求信号に呼応してデータサーバ４００あるいは読影用端末装置５００から供給された検査レポートは、検査レポート取得部９の検査レポート記憶部に保存される（図９のステップＳ２２）。
【００７８】
一方、操作者は、第１のＭＲＩ撮像における撮像位置や撮像パラメータが示された撮像条件設定用ＧＵＩを画像／ＧＵＩ表示部３に再度表示する。そして、依頼情報取得部８から供給された検査依頼情報や検査レポート取得部９から供給された検査レポートに基づき、上述の撮像位置や撮像パラメータを必要に応じて更新する。次いで、撮像条件設定部１１は、撮像位置や撮像パラメータの更新に用いられた操作部１６の操作デバイスから供給される更新情報に基づいて第２のＭＲＩ撮像における撮像条件を設定する（図９のステップＳ２３）。
【００７９】
上述の手順によって第２のＭＲＩ撮像における撮像条件が設定されたならば、主制御部１７は、撮像条件設定部１１から供給された第２のＭＲＩ撮像の撮像条件に基づいて画像データ収集部２００の各ユニットを制御することにより診断用画像データを収集し、得られた診断用画像データを画像／ＧＵＩ表示部３に表示すると共に送受信ＩＦ７及びネットワーク６００を介してデータサーバ４００あるいは読影用端末装置５００へ供給する（図９のステップＳ２４）。
【００８０】
一方、設定根拠導出部１３は、依頼情報取得部８から供給された検査依頼情報や検査レポート取得部９から供給された検査レポートの読影結果及び診断結果等に基づいて撮像条件の更新根拠を導出する（図９のステップＳ２５）。そして、撮像計画作成部１４は、自己の撮像計画記憶部から読み出した第１の撮像計画に上述した撮像条件の更新根拠や検査依頼情報及び検査レポートの内容を付加することにより第２の撮像計画を作成し、得られた第２の撮像計画を自己の撮像計画記憶部に保存する（図９のステップＳ２６）。
【００８１】
即ち、当該被検体の検査対象部位に対する経過観察等を目的として複数回のＭＲＩ撮像が異なる日時で繰り返し行なわれる場合、先ず、先行する第１のＭＲＩ撮像に用いた撮像条件の設定根拠を示す第１の撮像計画を作成する。次いで、第１のＭＲＩ撮像に後続して後日行なわれる第２のＭＲＩ撮像において得られた検査依頼情報、第１のＭＲＩ撮像によって得られた検査レポート及び上述の第１の撮像計画に基づき、第１のＭＲＩ撮像における撮像条件を更新して第２のＭＲＩ撮像を行なうと共に撮像条件の更新根拠等を第１の撮像計画に付加することにより第２の撮像計画を作成する。
【００８２】
そして、第２のＭＲＩ撮像に後続する第３のＭＲＩ撮像、第４のＭＲＩ撮像・・・における撮像条件の設定及び撮像計画の作成は、各々のＭＲＩ撮像に先行して行なわれた第２のＭＲＩ撮像、第３のＭＲＩ撮像・・・における撮像条件及び撮像計画を検査依頼情報や検査レポート等に基づいて更新することによって行なわれる。
【００８３】
以上述べた実施形態によれば、過日行なわれた第１のＭＲＩ撮像における撮像条件に基づいて所定の検査対象部位に対し再度行なう第２のＭＲＩ撮像の撮像条件を設定する際、第１のＭＲＩ撮像の撮像条件と共に保存された撮像条件の設定根拠を参照することにより第２のＭＲＩ撮像に好適な撮像条件を短時間かつ正確に設定することができる。このため、第２のＭＲＩ撮像を効率よく行なうことが可能となり、検査精度及び検査効率が向上するのみならず操作者の負担を軽減することができる。
【００８４】
又、第１のＭＲＩ撮像における撮像条件の設定根拠は、当該ＭＲＩ撮像の撮像条件と予め設定された標準撮像条件との差異、前記撮像条件を設定する操作者の視線履歴、ＭＲＩ撮像に先立って供給される検査依頼情報に基づいて自動的に導出されるため、操作者の経験等に影響されることなく常に高い精度を有した撮像条件の設定が可能となる。特に、撮像条件設定時における操作者の視線履歴に基づいて設定根拠を導出することにより詳細な設定根拠を得ることができる。
【００８５】
更に、第２のＭＲＩ撮像に先立って供給される上述の検査依頼情報や第１のＭＲＩ撮像において得られた診断用画像データの検査レポートに基づいて第１のＭＲＩ撮像の撮像条件を更新し第２のＭＲＩ撮像の撮像条件を設定する際、第１の撮像計画に示された撮像条件の設定根拠を参照することにより正確な撮像条件の更新を効率よく行なうことができる。
【００８６】
以上、本開示の実施形態について述べてきたが、本開示は、上述の実施形態に限定されるものではなく、変形して実施することが可能である。例えば、上述の実施形態では、過日行なわれた第１の医療検査における撮像条件に基づいて後日行なわれる第２の医療検査の撮像条件を設定する際、第２の医療検査としての第２のＭＲＩ撮像の撮像条件を、第１の医療検査としての第１のＭＲＩ撮像において設定された撮像条件やその設定根拠が示された撮像計画に基づいて設定する場合について述べたが、第１の医療検査及び第２の医療検査は、ＭＲＩ撮像に限定されるものではなく、例えば、Ｘ線ＣＴ撮影や通常のＸ線撮影であっても構わない。
【００８７】
又、撮像条件の比較に用いる標準撮像条件や撮像条件設定用ＧＵＩの作成に用いる検査プロトコルはネットワーク６００を介して接続されたデータサーバ４００から供給される場合について述べたが、標準撮像条件が予め保管された標準撮像条件保管部あるいは検査プロトコルが予め保管された検査プロトコル保管部を医用画像診断装置１００の内部に備えていてもよい。尚、上述のデータサーバ４００は、ＲＩＳ（放射線部門情報管理システム）やＨＩＳ（病院情報システム）の一部であってもよく、専用のデータサーバであっても構わない。
【００８８】
更に、上述の実施形態における設定根拠導出部１３は、撮像条件と標準撮像条件との差異、撮像条件を設定する操作者の視線履歴及び検査依頼情報に基づいて第１のＭＲＩ撮像における撮像条件の設定根拠を導出する場合について述べたが、これらの情報や操作者が操作部１６から新たに入力する任意の入力情報に基づいて撮像条件の設定根拠を導出してもよい。
【００８９】
又、撮像計画作成部１４が作成する第１の撮像計画及び第２の撮像計画において撮像条件の設定根拠及び撮像条件の更新根拠と共に示される情報は、図６及び図７に示した情報に限定されない。
【００９０】
尚、本実施形態の医用画像診断装置１００に含まれる各ユニットは、例えば、ＣＰＵ、ＲＡＭ、磁気記憶装置、入力装置、表示装置等で構成されるコンピュータをハードウェアとして用いることでも実現することができる。例えば、医用画像診断装置１００の主制御部１７は、上記のコンピュータに搭載されたＣＰＵ等のプロセッサに所定の制御プログラムを実行させることにより各種機能を実現することができる。この場合、上述の制御プログラムをコンピュータに予めインストールしてもよく、又、コンピュータ読み取りが可能な記憶媒体への保存あるいはネットワークを介して配布された制御プログラムのコンピュータへのインストールであっても構わない。
【００９１】
以上、本発明のいくつかの実施形態を説明したが、これらの実施形態は、例として提示したものであり発明の領域を限定することは意図していない。これら新規な実施形態は、その他の様々な形態で実施されることが可能であり、発明の要旨を逸脱しない領域で種々の省略、置き換え、変更を行なうことができる。これらの実施形態やその変形例は、発明の領域や要旨に含まれるとともに、特許請求の領域に記載された発明とその均等の領域に含まれる。
【符号の説明】
【００９２】
２…撮像条件設定用ＧＵＩ作成部
３…画像／ＧＵＩ表示部
４…視線履歴検出部
５…フィルタリングデータ生成部
５１…操作履歴取得部
５２…ＧＵＩ構成データ作成部
５３…病変領域検出部
５４…セグメンテーション部
６…注視領域検出部
７…送受信Ｉ／Ｆ
８…依頼情報取得部
９…検査レポート取得部
１０…標準撮像条件取得部
１１…撮像条件設定部
１２…撮像条件比較部
１３…設定根拠導出部
１４…撮像計画作成部
１５…撮像計画表示部
１６…操作部
１７…主制御部
２００…画像データ収集部
１００…医用画像診断装置
【図１】
2013215223.tif 000003
【図２】
2013215223.tif 000004
【図４】
2013215223.tif 000005
【図５】
2013215223.tif 000006
【図８】
2013215223.tif 000007
【図９】
2013215223.tif 000008
【図３】
2013215223.tif 000009
【図６】
2013215223.tif 000010
【図７】
2013215223.tif 000011